【事件の表示】
　昭和６３年　特　許　願　第２３２２４２号「シリアルプリンタ印字キヤリツジ制御方式」拒絶査定に対する審判事件（平成７年１０月２５日出願公告、特公平７−９８４１１）について、次のとおり審決する。
【結論】
　本件審判の請求は、成り立たない。
【理由】
Ｉ．［出願の経緯・本願発明の内容］
　本願は、昭和６３年９月１９日の出願であって、原審において平成７年１０月２５日に出願公告されたところ、特許異議申立人相原光政から特許異議の申立があり、その証拠に基づいて拒絶された。
　その発明は、出願公告された明細書及び図面の記載からみて、特許請求の範囲の請求項１に記載されたとおりのものであり、請求項１は次の記載からなる。
　「印字データ編集制御部と印字キャリッジ駆動制御部を有するシリアルプリンタにおいて、
　前記印字データ編集制御部は任意の行の印字キャリッジ起動開始位置、印字開始位置、印字終了位置および次行の印字キャリッジ起動開始位置を演算し、
　この演算した次行の印字キャリッジ起動開始位置を前記任意の行の印字キャリッジ停止位置とし、
　前記印字キャリッジ駆動制御部に制御指令を与え、
　この制御指令を受けて、前記印字キャリッジ駆動制御部は、印字期間である定速期間を終了後、移動距離が規定の加速距離以上に存在する場合、印字キャリッジ停止位置まで印字キャリッジを高速で加減速駆動することを特徴とするシリアルプリンタ印字キャリッジ制御方式。」
ＩＩ．［引用例］
　これに対して、原査定の拒絶の理由である特許異議の決定の理由に引用された特開昭５７−１４２３８２号公報（以下、「引用例１」という。）、特開昭５８−１０８１８２号公報（以下、「引用例２」という。）には、それぞれ下記の事項が記載されている。
　（１）引用例１の開示事項
　「この発明はシリアルプリンタの印字制御装置に関する。」（１頁左欄１７行、１８行）、
　「この発明は・・・準備移動動作（キャリッジを一度停止させてから次の行の印字開始位置に移動させる動作）を行う回数を減らすことができる・・・装置を提供することを目的とする。」（２頁左下欄１９行〜右下欄４行）、
　「制御部１１は、シリアルプリンタ全体の制御を行う機能を有し・・・、インタフェイス部１２は、外部機器と接続され・・・、印字データ、印字制御データ等が供給され・・・、キャリッジ制御部１３は、…制御データメモリ１４の内容に基づき制御部１１の制御によりキャリッジ移動の制御を行う機能を持っている。」（２頁右下欄７行〜１７行）、
　「キャリッジ駆動部１５はキャリッジ制御部１３から出力される制御信号により印字ヘッドを搭載したキャリッジを駆動する機能を持っている。制御データメモリ１４には、・・・キャリッジ移動制御・・・用の印字制御データが・・・格納されるようになっている。また、この制御データメモリ１４は・・・２つのメモリ領域に分かれており、それぞれ１行分の印字制御データが交互に格納される・・・。印字データメモリ１６には、インタフェイス部１２で受け取った印字データが制御部１１の制御により格納されるようになっている。また、この印字データメモリ１６は、・・・２つのメモリ領域に分かれており、それぞれ１行分の印字データが交互に格納される・・・。」（２頁右下欄１８行〜３頁左上欄１７行）、
　「メモリ領域１４ａは・・・複数の領域に分割され・・・、領域１４１には受信開始を示すフラグ情報が、領域１４２には受信終了を示すフラグ情報が、１４３には印字及びキャリッジ移動開始を示すフラグ情報が、格納され・・・、これら３つのフラグ情報は各行単位でその動作の開始及び終了時に、制御部１１のもとに管理される・・・。・・・領域１４４には、・・・各印字行の印字領域３１，３２、・・・における左端位置を示す情報が、領域１４５には、印字領域３１，３２、・・・における右端位置・・・を示す情報が格納されるようになっている。」（３頁左上欄末行〜右上欄１４行）
　「次に、この実施例の動作を説明する。・・・位置ＣＳ１はキャリッジ１の初期位置を示している。・・・制御部１１は格納された印字制御データに基づきキャリッジ制御部１３を制御する。そしてキャリッジ制御部１３から制御信号に基づきキャリッジ駆動部１５はキャリッジの移動制御を行なう。具体的には、まず位置ＣＳ１にあるキャリッジ１は、第６図に示すように、位置ＣＳ１〜Ｓ１の間で・・・徐々に加速される。・・・上記キャリッジ１は、位置Ｓ１〜Ｅ１の間で一定速度ｖｐで移動し、・・・印字が行なわれる。・・・キャリッジ１が印字を終了してＥ１に達したとき、・・・すでに第２行目の印字制御データの格納が終了している場合、・・・制御部１１はこの時のキャリッジ１の位置Ｅ１と、格納された印字領域３２の左端位置Ｓ２および右端位置Ｅ２を示す情報との位置関係を調べる。すなわち、位置Ｅ１にあるキャリッジ１を停止制御した場合にキャリッジ１が停止する位置を・・・ＣＥ１とすると、▲１▼ＣＥ１−Ｓ２＞Ｅ２−ＣＥ１の関係にある場合にはキャリッジの移動を継続させる。（以下、継続移動と呼ぶ。）・・・上記▲１▼のキャリッジ１を継続移動させる場合にはキャリッジ１をＴＩＳ時間等速度ｖｐで位置Ｅ２に対応する位置まで移動させた後、キャリッジ１を減速動作させＴＩＤ時間後に第２行目のキャリッジ移動開始位置ＣＳ２に対応した位置に停止させる。」（３頁右上欄末行〜４頁左上欄１５行）。
　上記の記載から、引用例１には、
「制御部１１とキャリッジ制御部１３を有するシリアルプリンタにおいて、前記制御部１１は任意の行の印字キャリッジ起動開始位置ＣＳ１、印字開始位置Ｓ１、印字終了位置Ｅ１および次行の印字キャリッジ起動開始位置ＣＳ２を演算し、前記キャリッジ制御部１３に制御指令を与え、この制御指令を受けて、キャリッジ１を継続移動させる場合にはキャリッジ１をＴＩＳ時間等速度ｖｐで位置Ｅ２に対応する位置まで移動させた後、キャリッジ１を減速動作させＴＩＤ時間後に第２行目のキャリッジ移動開始位置ＣＳ２に対応した位置に停止させる印字制御装置。」の発明が記載されている。
（２）引用例２の開示事項
　「本発明は・・・シリアルプリンタ等の印字ヘッドの移送制御方式に関し、特に往復両方向に移動する過程で印字を行うプリンタの印字ヘッドの移送を効率良く移送する方式に関する」（１頁左欄１５行〜末行）、
　「本発明の目的は、・・・高速に印字が可能となり、加速減回数を少なくし得る印字ヘッドの移送制御方式を提供する」（２頁右上欄末行〜左下欄３行）、
　「次行の印字データの印字左右端の位置（桁と称す）Ｐｉ２，Ｐｉ２’と、印字中の行の最終印字位置（印字終了桁）Ｐｉ１とを比較演算する。即ち、印字終了桁Ｐｉ１と各桁Ｐｉ２及びＰｉ２’との間の各々の距離を求め、距離の短い側の桁、第２図の場合桁Ｐｉ２を次行・・・の印字開始桁として決定しておく。・・・次に、決定された次行の印字開始桁Ｐｉ２と、印字方向とにより、助走開始桁、即ち、印字中の印字ヘッドが最終的に停止するべき桁Ｐ２を算出する。即ち、・・・第２図の第２行目の印字方向の様に、移送方向を反転し、逆方向（第２図左方向）である場合、次行の印字開始桁Ｐｉ２に助走を要する桁数ｄだけ加算して助走開始桁Ｐ２を求める。更に、助走開始桁Ｐ２が求められた後、印字ヘッドを停止するに要する桁数ｄ’を助走開始桁Ｐ２から・・・加算或いは減算し、停止開始桁Ｐ２’を求める。（２頁右下欄２行〜３頁左上欄７行）、
　「従って、次行▲２▼の印字のために、印字ヘッドの助走開始位置を調整する必要も無くなる。・・・この場合、停止開始桁と、現在位（現在位置）との間の桁数を判定し、桁数が多い場合高速動作を指示するようにし、しかる後、停止開始桁か否か判定するようにされる。」（３頁右上欄５行〜１２行）、
　「演算部ＯＰ４は、・・・現在値と、・・・停止開始桁データとを比較演算する。これにより、印字終了しており且つ停止開始桁と、現在値との相違が所定桁Ｎ（少なくとも、停止距離より大きい値）以上である場合には、移送制御部ＴＣに移送制御電流を増加する方向に指令する高速指令信号・・・を出力する」（４頁右上欄１６行〜左下欄５行）。
ＩＩＩ．［対比判断］
　本願の請求項１に係る発明（以下、「本願発明」という）と引用例１との対比
（１）　両者の対比
　本願発明の「印字データ編集制御部と印字キャリッジ駆動制御部を有するシリアルプリンタ、及び印字データ編集制御部は任意の行の印字キャリッジ起動開始位置、印字開始位置、印字終了位置および次行の印字キャリッジ起動開始位置を演算し」、および「次行の印字キャリッジ起動開始位置を前記任意の行の印字キャリッジ停止位置とする」は、それぞれ引用例１記載の「制御部１１とキャリッジ制御部１３を有するシリアルプリンタ、及び制御部１１は任意の行の印字キャリッジ起動開始位置ＣＳ１、印字開始位置Ｓ１、印字終了位置Ｅ１および次行の印字キャリッジ起動開始位置ＣＳ２を演算し」、および「キャリッジ１を継続移動させる場合にはキャリッジ１をＴＩＳ時間等速度ｖｐで位置Ｅ２に対応する位置まで移動させた後、キャリッジ１を減速動作させＴＩＤ時間後に第２行目のキャリッジ移動開始位置ＣＳ２に対応した位置に停止させる」にそれぞれ対応する。
　よって、両者は次のように一致する。
（２）　両者の一致点
「印字データ編集制御部と印字キャリッジ駆動制御部を有するシリアルプリンタにおいて、前記印字データ編集制御部は任意の行の印字キャリッジ起動開始位置、印字開始位置、印字終了位置および次行の印字キャリッジ起動開始位置を演算し、この演算した次行の印字キャリッジ起動開始位置を前記任意の行の印字キャリッジ停止位置とし、前記印字キャリッジ駆動制御部に制御指令を与え、この制御指令を受けて、前記印字キャリッジ駆動制御部は、印字期間である定速期間を終了後、印字キャリッジ停止位置まで印字キャリッジを駆動するシリアルプリンタ印字キャリッジ制御方式。」
（３）　両者の相違点
　印字期間である定速期間を終了後、印字キャリッジ停止位置まで印字キャリッジを駆動するに際して、本願発明では、移動距離が規定の加速距離以上に存在する場合、印字キャリッジ停止位置まで印字キャリッジを高速で加減速駆動するものであり、引用例１のものでは、移動距離の如何に拘わらず、印字キャリッジ停止位置まで印字キャリッジを定速で駆動して停止させる点。
（４）相違点についての判断
　引用例２には、「停止開始桁と、現在値との間の桁数を判定し、桁数が多い場合高速動作を指示する」旨の記載があるが、引用例２の場合、「任意の行の印字キャリッジ停止位置（引用例２の最終的に停止するべき桁Ｐ２）」は「次行の印字キャリッジ起動開始位置（引用例２の次行の助走開始桁Ｐ２）」に相当し、「次行の印字キャリッジ起動開始位置（引用例２の次行の助走開始桁Ｐ２）」は、「次行の印字開始位置（次行の印字領域の印字開始桁Ｐｉ２）」に助走に要する桁数ｄを加算して求められ、更に、印字ヘッドを停止するに要する桁数ｄ’を考慮して「停止開始桁Ｐ２’」が求められ、「停止開始桁」、即ち、「次行の印字キャリッジ起動開始位置」により決まる「停止開始桁」に至る迄の桁数が多いか否かを判定し、その判定の結果により、桁数が多い場合には、高速指令信号が出力されるものであるので、引用例２のこの点を引用例１に適用し、本願発明の如く、「移動距離が規定の加速距離以上存在する場合、印字キャリッジ停止位置まで印字キャリッジを高速で加減速駆動する」ように構成することは、当業者が容易に想到することができるものである。
ＩＶ．［結論］
　以上のとおりであるから、本願の請求項１に係る発明は、引用例１及び引用例２に記載の発明に基づいて当業者が容易に発明をすることができたものと認められるから、特許法第２９条第２項の規定により特許を受けることができない。
　よって、結論のとおり審決する。